(57)【要約】【課題】ヘアキャッチャーの格子状の排水孔への毛髪等の堆積を予防して排水機能を維持できるようにするとともに、捕捉された毛髪等の除去回収が容易となるようにし、簡便な清掃作業が可能となるようにする。【解決手段】浴室の排水トラップの排水口部に装着されるヘアキャッチャーであり、排水の集中するフランジ部に適宜間隔で複数のポストを立設する。【選択図】図１
2007231622.tif 000002
【特許請求の範囲】
【請求項１】
浴室の排水トラップの排水口部に装着されるヘアキャッチャーであり、
排水の集中するフランジ部に適宜間隔で複数のポストを立設したことを特徴とするヘアキャッチャー。
【請求項２】
浴室の排水トラップの排水口部に装着されるヘアキャッチャーであり、
排水の集中するフランジ部の外周に立設したポストの位置および形状に合致する通孔を形成した環状部材を前記フランジ部に配設したことを特徴とするヘアキャッチャー。
【請求項３】
ポストの形状が円柱または多角柱であることを特徴とする請求項１または請求項２に記載のヘアキャッチャー。
【請求項４】
ポストの形状が円錐または多角錐であることを特徴とする請求項１または請求項２に記載のヘアキャッチャー。
【発明の詳細な説明】
【技術分野】
【０００１】
本発明は、マンション、戸建て住宅、ホテルなどに設置されるユニットバスの排水トラップに装着されるヘアキャッチャーの改良に関するものである。
【背景技術】
【０００２】
一般にユニットバスにおいては防水パンに排水トラップを設け、不要な浴湯をこの排水トラップから集中的に排水するようにしているが、排水時に毛髪等を捕捉するためのヘアキャッチャーが配設されており（例えば、特許文献１）、このヘアキャッチャーを配設した状態を図１１に示す。
【０００３】
同図に示すように、ヘアキャッチャー１０１は防水パンＡに形成された集水凹部Ｂの底部に開口した排水トラップの排水口部に装着され、前記集水凹部Ｂの開口部がトラップカバーＣにより施蓋される。前記トラップカバーＣの施蓋状態では、このトラップカバーＣの側部と集水凹部Ｂとの間に間隙が形成され、この間隙から排水される浴湯が流入する。
【０００４】
集水凹部Ｂに流入した浴湯は、ヘアキャッチャー１０１に格子状に形成された複数の排水孔１０１ａから排水トラップへ流出する。このとき、排水される浴湯に含まれている毛髪等は、前記排水孔１０１ａの隔壁に絡んで滞留し、図１２に示すように堆積する状態となる。かかる状態に至ると、目詰まりの原因となり排水機能が低下してしまうため、堆積した毛髪等は定期的に除去回収しなければならない。
【特許文献１】特開２００５−１４６５４２号公報
【発明の開示】
【発明が解決しようとする課題】
【０００５】
ところが、前記のようにして堆積した毛髪等は前記排水孔１０１ａの隔壁部分へ複雑に絡み合って強固に付着し、容易に除去回収することができず、簡便な清掃作業を望むことができなかった。本発明は、かかる従来の問題に鑑みなされたもので、ヘアキャッチャーで捕捉された毛髪等の除去回収を容易に行うことができるようにすることを目的とするものである。
【課題を解決するための手段】
【０００６】
そこで本発明は、以下に述べる各手段により上記課題を解決するようにした。即ち、請求項１記載の発明では、浴室の排水トラップの排水口部に装着されるヘアキャッチャーであり、排水の集中するフランジ部に適宜間隔で複数のポストを立設する。
【０００７】
請求項２記載の発明では、浴室の排水トラップの排水口部に装着されるヘアキャッチャーであり、排水の集中するフランジ部の外周に立設したポストの位置および形状に合致する通孔を形成した環状部材を前記フランジ部に配設する。
【０００８】
請求項３記載の発明では、上記請求項１または請求項２記載の発明において、ポストの形状が円柱または多角柱であるようにする。
【０００９】
請求項４記載の発明では、上記請求項１または請求項２記載の発明において、ポストの形状が円錐または多角錐であるようにする。
【発明の効果】
【００１０】
本発明によれば、格子状の排水孔への毛髪等の堆積を予防することができので安定した排水機能を維持することができる。そして、捕捉された毛髪等はその除去回収が容易となるため、清掃作業が簡便なものとなる。
【発明を実施するための最良の形態】
【００１１】
以下、本発明の実施の形態を図にもとづいて説明する。
【００１２】
図１は、本発明のヘアキャッチャー１を示すもので、中央のオーバーフローヘッド１Ａと外周のフランジ１Ｂが一体に成形されている。そして、前記オーバーフローヘッド１Ａの頂部と側部およびフランジ１Ｂには同図に示すように複数の排水孔１ａが形成され、前記フランジ１Ｂには複数のポスト２が立設され一体化されている。
【００１３】
前記ポスト２は、フランジ１Ｂと一体成型されるようにしてもよく、フランジ１Ｂの裏面からネジ止めするようにしてもよい。また、このポスト２の形状は、円柱に限らず多角柱としてもよく、円錐または多角錐としてもよい。
【００１４】
図２は、以上のように構成された本発明のヘアキャッチャー１を集水凹部Ｂへ配設した状態を示すもので、図３に同状態の断面図を示す。かかる状態において、施蓋されたトラップカバーＣの側部と集水凹部Ｂとの間に形成された間隙から排水される浴湯が流入すると、この浴湯に含まれていた毛髪等はポスト２の基部に絡み付く。
【００１５】
このようにして毛髪等は図４に示すようにポスト２の基部に次第に堆積し、この部分に定着する。ポスト２により捕捉されなかった僅かな毛髪等は、排水孔１ａから排水トラップＤへ流出するが、このとき排水孔１ａの隔壁に捕捉されても、以後の浴湯の排水の勢いにより脱落し、排水孔１ａに堆積してこの部分を塞ぐようなことはない。
【００１６】
したがって、毛髪等はポスト２の基部を囲むように堆積するため、排水孔１ａに絡み付くことはなく、図４に示すようにリング状に堆積した毛髪等をポスト２から容易に抜き取ることができる。これにより、素早く簡便な清掃作業を実現することができるのである。
【００１７】
図５は、上述した本発明の原理を利用し、更に清掃時の簡便性を向上するように構成した例を示すもので、ヘアキャッチャー１のフランジ１Ｂの外周に立設したポスト２の位置および形状に合致する通孔３ａを形成した環状部材３を、図６に示すようにフランジ１Ｂに配設するようにしたものである。図７は、以上のように構成されたヘアキャッチャー１を集水凹部Ｂへ配設した状態を示すもので、図８に同状態を断面図で示す。
【００１８】
かかる状態において、施蓋されたトラップカバーＣの側部と集水凹部Ｂとの間に形成された間隙から浴湯が流入すると、この浴湯に含まれていた毛髪等は、図９に示すように環状部材３の通孔３ａ部分のポスト２の基部に絡み付く。そして、毛髪等が堆積し、清掃を要する場合は、環状部材３に一体形成されている舌片３ｂを指先で摘んで引き上げることにより、図１０に示すように環状部材３の通孔３ａ部分で毛髪等を捕捉したまま取り外すことができ、毛髪等の除去回収が容易となる。
【００１９】
以上説明したように本発明によれば、排水される浴湯に含まれる毛髪等は大きな接触率で抵抗体となるポストにより捕捉されて堆積することから、毛髪等によりヘアキャッチャーの排水口が閉塞されることがなく排水機能を長く維持することができる。そして、堆積した毛髪等の除去回収が容易であるので、簡便な清掃作業が可能となるなど本発明特有の効果を奏する。
【図面の簡単な説明】
【００２０】
【図１】本発明のヘアキャッチャーの斜視図である。
【図２】図１のヘアキャッチャーを排水トラップに装着した状態の斜視図である。
【図３】図１のヘアキャッチャーを排水トラップに装着した状態の断面図である。
【図４】図１のヘアキャッチャーの機能を説明する図である。
【図５】本発明のヘアキャッチャーの別構成の例を示す斜視図である。
【図６】図５のヘアキャッチャーの組立状態を示す斜視図である。
【図７】図５のヘアキャッチャーを排水トラップに装着した状態の斜視図である。
【図８】図５のヘアキャッチャーを排水トラップに装着した状態の断面図である。
【図９】図５のヘアキャッチャーの機能を説明する図である。
【図１０】図５のヘアキャッチャーの機能を説明する図である。
【図１１】従来のヘアキャッチャーを排水トラップに装着した状態の斜視図である。
【図１２】従来のヘアキャッチャーの不具合の状態を説明する図である。
【符号の説明】
【００２１】
１・・・・・・ヘアキャッチャー
１Ａ・・・・・オーバーフローヘッド
１Ｂ・・・・・フランジ
１ａ・・・・・排水孔
２・・・・・・ポスト
３・・・・・・環状部材
３ａ・・・・・通孔
３ｂ・・・・・舌片
Ａ・・・・・・防水パン
Ｂ・・・・・・集水凹部
Ｃ・・・・・・トラップカバー
Ｄ・・・・・・排水トラップ
【図１】
2007231622.tif 000003
【図２】
2007231622.tif 000004
【図３】
2007231622.tif 000005
【図４】
2007231622.tif 000006
【図５】
2007231622.tif 000007
【図６】
2007231622.tif 000008
【図７】
2007231622.tif 000009
【図８】
2007231622.tif 000010
【図９】
2007231622.tif 000011
【図１０】
2007231622.tif 000012
【図１１】
2007231622.tif 000013
【図１２】
2007231622.tif 000014